(57)【要約】【課題】暗闇では充電ポートの位置を判断しづらく、充電ポートに充電ジャックを挿すことが難しかった。【解決手段】本体と、前記本体に電力を供給する電池と、前記電池への充電電力を供給する充電ポートと、前記電池の残量を検出する残量検出部と、前記充電ポートの周囲に配置され、発光部の光を導光する導光部と、前記発光部を制御する制御部とを備え、前記残量検出部が、前記電池の残量が所定の閾値以下になったことを検出すると、前記制御部は前記発光部を発光させることを特徴とする。【選択図】図３
2019165310.tif 000002
【特許請求の範囲】
【請求項１】
本体と、
前記本体に電力を供給する電池と、
前記電池への充電電力を供給する充電ポートと、
前記電池の残量を検出する残量検出部と、
前記充電ポートの周囲に配置され、発光部の光を導光する導光部と、
前記発光部を制御する制御部と
を備え、
前記残量検出部が、前記電池の残量が所定の閾値以下になったことを検出すると、前記制御部は前記発光部を発光させることを特徴とする携帯端末。
【請求項２】
周囲環境の照度を検出する照度検出部を備え、
前記残量検出部が前記電池の残量が所定の閾値以下になったことを検出した場合に、前記照度検出部の検出結果が所定の照度以上であるときには、前記制御部は前記発光部を発光させないことを特徴とする請求項１に記載の携帯端末。
【請求項３】
前記発光部を発光させる発光制御スイッチを備え、
前記発光制御スイッチをＯＮすると、前記残量検出部による検出結果に関わらず、前記発光部を発光させることを特徴とする請求項１または２に記載の携帯端末。
【発明の詳細な説明】
【技術分野】
【０００１】
本発明は、充電可能なバッテリを搭載する携帯端末に関する。
【背景技術】
【０００２】
従来の携帯端末においては、特許文献１に示すように、周辺環境照度判断手段とバッテリレベル判定手段により、設けられたポート１（充電用）とポート２（外部音響出力用）に対応するそれぞれの発光部が動作される。
【先行技術文献】
【特許文献】
【０００３】
【特許文献１】特開２０１３−２２３２４９号公報
【発明の概要】
【発明が解決しようとする課題】
【０００４】
しかしながら、特許文献１の発光部では、充電ポートの位置が認識可能なように発光するものではないため、充電ポートの位置を判断しづらく、充電ポートに充電ジャックを挿すことが難しかった。
【課題を解決するための手段】
【０００５】
上記を鑑み、本発明に係る携帯端末は、
本体と、
前記本体に電力を供給する電池と、
前記電池への充電電力を供給する充電ポートと、
前記電池の残量を検出する残量検出部と、
前記充電ポートの周囲に配置され、発光部の光を導光する導光部と、
前記発光部を制御する制御部と
を備え、
前記残量検出部が、前記電池の残量が所定の閾値以下になったことを検出すると、前記制御部は前記発光部を発光させることを特徴とする。
【発明の効果】
【０００６】
本発明によれば、携帯端末における充電ポートの位置をユーザが容易に認識することができ、充電ポートへの充電ジャックの挿入をしやすくすることができる。
【図面の簡単な説明】
【０００７】
【図１】本発明を適用できる携帯端末の実施例１を説明するためのブロック図。
【図２】本発明を適用できる携帯端末の実施例２を説明するためのブロック図。
【図３】本発明を適用できる携帯端末の実施例１を説明するためのフローチャート図。
【図４】本発明を適用できる携帯端末の実施例１を説明するための導光部概略図。
【図５】本発明を適用できる携帯端末の実施例２を説明するためのフローチャート図。
【図６】本発明を適用できる携帯端末の実施例２を説明するための導光部概略図。
【図７】本発明を適用できる電子機器の実施例１を説明するための概略図。
【図８】本発明を適用できる電子機器の実施例１を説明するためのブロック図。
【図９】本発明を適用できる電子機器の実施例１を説明するためのフローチャート図。
【図１０】本発明を適用できる電子機器の実施例１を説明するためのロック部概略図。
【図１１】本発明を適用できる電子機器の実施例２を説明するための概略図。
【図１２】本発明を適用できる電子機器の実施例２を説明するためのブロック図。
【発明を実施するための形態】
【０００８】
（第一実施例）
第一の実施例は図１のブロック図に示すように構成する。
【０００９】
携帯端末１０１は充電することが可能で、携帯端末１０１に電力を供給可能なバッテリ１０２（電池）、バッテリへ充電電力を供給するための充電ポート１０３、充電ポートの位置を指示する発光部１０４、充電ポートを囲む導光部１０５、発光部を制御する制御スイッチ１０６、携帯端末の動作を制御する制御部１０７、バッテリ残量を検出する残量検出部１０８、携帯端末の表面には所在環境の照度を検出する照度検出部１０９、と携帯端末の動作を表示する表示部１１０を備える。
【００１０】
図３は実施例１を示したフローチャートである。携帯端末１０１は残量検出部１０８でバッテリ残量を検出し、制御部１０７で判定する（ステップＳ１０１）。バッテリ残量が、設定された閾値以下になったことが残量検出部１０８で検出される（ステップＳ１０２）と、制御部１０７から発光制御信号を発光部１０４に伝送し、発光部１０４を発光させることにより、充電ポートを囲む導光部１０５を発光させる（ステップＳ１０３）。閾値としては例えば１０％としているが、ユーザによって設定可能に構成しても良い。
【００１１】
さらに、バッテリの残量が２％以下であることを残量検出部１０８で検出した場合には（ステップＳ１０４でＹｅｓ）、表示部１１０の画面表示を強制的に消す（ステップＳ１０５）。画面表示を消した状態で充電ポート１０３を囲む導光部１０５を光らせることにより、ユーザが容易に充電ポート１０３を視認することができるようになる。ただし、充電ポート１０３の位置と形状が視認できれば、充電ポート１０３の４角や４辺に対応した一部のみに導光部１０５を配置しても良い。その後、ユーザの充電動作（すなわち充電ポートへの充電ジャックの挿入）がなされると、充電を開始する（ステップＳ１０６）。バッテリの残量が２％超えであることを残量検出部１０８で検出した場合には（ステップＳ１０４でＮｏ）、表示部１１０の画面表示を制御せずにステップＳ１０６に進む。
【００１２】
また、本実施例においては、さらに、照度検出部１０９で所在環境の照度を検出し、制御部１０７で判定する制御を追加しても良い。携帯端末が暗い場所にあることを照度検出部１０９によって判定された場合にのみ、ステップＳ１０１からステップＳ１０５の制御を実行するように構成しても良い。
【００１３】
図４は本発明の実施例１に係る携帯端末の充電ポート１０３及び導光部１０５の構成を示す概略図である。充電ポート１０３の周囲を囲んで導光部１０５が配置されている。
【００１４】
ユーザにバッテリ残量表示の違和感がないようにするため、バッテリの実際の残量と残量表示を以下のように処理しても良い。ステップＳ１０４において、実際のバッテリ残量が２％未満であるときに、表示画面上のバッテリ残量表示を１％となるように制御し、バッテリの残量が２％未満であることを残量検出部１０８で検出した場合には（ステップＳ１０４でＹｅｓ）、表示部１１０の画面表示を消す（ステップＳ１０５）。バッテリの実際の残量が２％〜１０％以下である場合に、表示画面上のバッテリ残量表示が２％〜１０％となるように制御し、バッテリの残量が２％〜１０％であることを残量検出部１０８で検出した場合には（ステップＳ１０４でＮｏ）、表示部１１０の画面表示を制御せずにステップＳ１０６に進む。
【００１５】
（第二実施例）
以下、本発明の第二の実施例に係る携帯端末について説明する。基本的な構成は第一実施例と同様であるため、主に異なる部分のみ説明する。本実施例に係る携帯端末は図２のブロック図に示すように構成される。携帯端末２０１は充電することが可能なバッテリ２０２、バッテリを充電する充電ポート２０３、充電ポート２０３の位置を報知する第１発光部２０４と第２発光部２１１、充電ポート２０３を囲む第１導光部２０５及び、その第１導光部２０５を囲む第２導光部２１２（図６参照）、第２発光部２１１を制御する制御スイッチとしてのハードキー２０６、携帯端末の動作を制御する制御部２０７、バッテリ残量を検出する残量検出部２０８、携帯端末の表面には携帯端末の周囲環境の照度を検出する照度検出部２０９、と携帯端末の動作を表示する表示部２１０を備える。
【００１６】
図５には、本実施例に係る携帯端末２０１の導光部の発光制御のフローチャートを示す。
【００１７】
まず、携帯端末２０１は、ステップＳ２０１において、照度検出部２０９によって、携帯端末２０１が置かれた環境が暗い場所であるかどうかを判定する。ここで、暗い場所としては、例えば表示画面が点灯した状態でユーザがそれ以外の部分（例えば充電ポート２０３）の位置を視認しづらい程度であるかどうかによって判定を行う。
【００１８】
照度検出部２０９による判定の結果、暗い場所ではないと判定された場合には（ステップＳ２０２でＮｏ）、ステップＳ２０８に進む。すなわち、ステップＳ２０２において、照度検出部２０９による照度の検出結果が、所定の照度以上である場合には、制御部２０７は、第１発光部２０４、第２発光部２１１のいずれも発光させない。
【００１９】
照度検出部２０９が暗い場所であると判定した場合には（ステップＳ２０２でＹｅｓ）、続けて、ユーザによって発光制御スイッチとしてのハードキー２０６が操作されたかどうかを判定する（ステップＳ２０９）。
【００２０】
ユーザによって発光制御ＳＷが押され、ＯＮされた場合には（ステップＳ２０９でＹｅｓ）、ステップＳ２１０に進み、第２発光部２１１を発光させることで、充電ポート２０３を囲む第２導光部２１２を導光する。すなわち、残量検出部２０８の検出結果に関わらず、第２発光部２１１を発光させることで、充電ポート２０３の周囲を光らせることができる。
【００２１】
図７には本実施形態における携帯端末２０１の一例としてのスマートフォンを示す。スマートフォンには、本体の表示部２１０、右の側面にあるハードキー２０６、下の側面にある充電ポート２０３、第１導光部２０５及び第２導光部２１２を備える。一例として、右の側面にあるハードキー２０６が押されると表示部２１０を非表示にするように制御される。その後、所定時間（例：０．１ｓ）を経て、第２発光部２１１が発光し、第２導光部２１２が導光する。それによってユーザは充電ポート２０３を視認することができるようになる。この場合、ハードキー２０６が発光制御ＳＷとして機能している。
【００２２】
尚、この制御は、バッテリ残量が減り、所定のバッテリ電圧を下回ったときだけ実行するように構成しても良い。
【００２３】
ステップＳ２０９において、発光制御スイッチが押されたことを検知しなかった場合、ステップＳ２０３に進み、バッテリ残量判定処理を行う。すなわち、バッテリ残量検出部２０８でバッテリ残量を検出し、制御部２０７で判定する。
【００２４】
バッテリ残量が設定されたレベル（ユーザ設定）以下であることを残量検出部２０８で検出すると（ステップＳ２０４でＹｅｓ）、制御部２０７から発光制御信号を第１発光部２０４に伝送し、第１発光部２０４が発光させられることで、充電ポート２０３を囲む第１導光部２０５が発光する（ステップＳ２０５）。さらに、バッテリ残量が２％以下になることを検出すると、表示部２１０の画面表示を消す（ステップＳ２０７）。画面表示を強制的に消した状態で充電ポート２０３に囲む第１導光部２０５が光ることにより、ユーザが容易に充電ポート２０３を視認することができるようになる。その後、ユーザの充電動作（すなわち充電ポートへの充電ジャックの挿入）がなされると、充電を開始する（ステップＳ２０８）。
【００２５】
図６は本発明の実施例２を示す充電ポート２０３及び第１導光部２０５と第２導光部２１２の概略図である。
【００２６】
充電ポート２０３の周囲を囲むように第１導光部２０５が設けてある。また、第１導光部２０５の周囲を囲むように第２導光部２１２が設けてある。本実施例においては、バッテリ２０２の残量によって点灯する第１導光部２０５と、ユーザの手動操作によって点灯する第２導光部２１２とに分けている。但し、たとえば、第１導光部２０５と第２導光部２１２が色で分けられていて（例：第１導光部２０５が無色の透明部材、第２導光部２１２が青の透明部材）、第１発光部２０４、第２発光部２１１が共通の発光手段（例：赤色ＬＥＤ）で構成しても良い。或いは、第１導光部２０５と第２導光部２１２が共通の導光部材で、第１発光部２０４と第２発光部２１１が異なる発光手段（例：赤色ＬＥＤと青色ＬＥＤ）で分けて構成しても良い。さらに、第１発光部２０４と第２発光部２１１を同一の発光手段とし、第１導光部２０５と第２導光部２１２を共通の導光手段によって構成しても良い。
【００２７】
（第三実施例）
以下、本発明に係る第三の実施例に係る携帯端末について説明する。本実施例は電池を交換可能な電子機器に関する。
【００２８】
ここで、従来の電子機器において説明する。従来の電子機器においては、電池蓋３１０の開閉を検出する電池蓋３１０開閉検出スイッチが設けられているものや、アンテナ部を有する電池蓋３１０によって、電池蓋３１０が本体部に取り付けられているか否かを判定するものがあった。
【００２９】
しかしながら、いずれにしても、電池蓋３１０と本体部との間で電池蓋３１０の開閉検出を行っているため、電池蓋３１０の少なくとも一部が本体から離れた後で、本体側での処理が始まるようになっている。すなわち、電池蓋３１０が外れるまでは処理が開始されず、処理が間に合わないことがあった。
【００３０】
上記の事情を鑑み、本実施例に係る電子機器は、
電池装着ポートを備えた電子機器において、前記電池装着ポートに搭載される電池の交換時に、電子機器の回転を検出する回転検出手段と、前記回転検出手段により前記電子機器が回転されたことを検出したときに、前記電子機器の状態を判定する判定手段と、前記判定手段により、前記電子機器の状態が電池取外し不可状態であると判定したときに、前記電子機器の動作を中止させ、サスペンド状態へ移行させるように制御する制御手段と、を備えることを特徴とする。
【００３１】
本実施例に係る携帯端末によれば、電池を外す前に、システムを強制的にサスペンドに移行することにより、データの損壊をより確実に防ぐことができる。
【００３２】
図７は本発明の第三の実施例を示す概略図である。電子機器の表面には表示部３０２と入力部３０８を備える。裏面には電池を収納する収納部とスキャナ部３０７を備え、収納部には電池蓋３１０が設けられている。ユーザは、電池を交換する際に、表面から裏面に回転し、電池蓋３１０側を上に向けた状態で電池の交換動作をする。
【００３３】
図７に示す電子機器において、その内部的な仕組みを図８のブロック図に示すように構成する。電子機器の本体３０１は電池及び各種回路等の回路部品を内蔵し、電池蓋３１０は、当該電池及び回路部品を覆うようにして筐体に着脱自在に取り付けられる。電池は本体３０１に対して着脱可能に取り付けられており、電池蓋３１０によって覆われることで本体３０１に保持されている。
【００３４】
電子機器の本体３０１は電子機器の動作を表示する表示部３０２、たとえば加速度センサーを含み、筐体の回転動作を検出する回転検出部３０３、電子機器の状態を判定する判定部３０４、電子機器の動作を制御する制御部３０５、電池蓋３１０をロックするロック部３０６、とスキャナ部３０７を備える。
【００３５】
図９は本実施例における動作を示したフローチャートである。本体が表面側から側面や裏面に向けて回転されると、この回転動作を回転検出部３０３で検出する（ステップＳ５０１）。回転検出部３０３は検出信号を制御部３０５に送信する。回転検出部３０３は、検出センサー及び制御基板と信号伝送する回路で構成されており、検出センサーは、加速度センサーやジャイロセンサーなどの種々のセンサーで良く、何らかの方法で回転量が測定可能なセンサーであれば良い。
【００３６】
次に、制御部３０５が判定部３０４に電子機器の状態判定指示を送信する。判定部３０４がこの時の電子機器の状態を判定する（ステップＳ５０２）。判定部３０４は、判定結果として状態判定情報を制御部３０５に送信する。このとき、ユーザに電子機器の状態を簡単に示すために、電子機器がサスペンドの場合には、スキャナ部３０７のＬＥＤが点灯モード１で点灯するなどによってユーザが認識可能なように報知する。たとえば、点灯モード１は３秒連続で点灯し、その後は消灯する動作などであっても良い。
【００３７】
ステップＳ５０２において、判定部３０４が電子機器がサスペンドではないと判定した場合、制御部３０５が電子機器をサスペンドに移行させる（ステップＳ５０４）。ただし、特定のアプリが動作されている時、その状態情報も制御部３０５に割り込み、サスペンドに移行しないように例外処理をし、その特定の終了を待つように制御しても良い。たとえば、スキャナアプリが起動され、バーコード情報を読み取っているときや、音声アプリが動作して音声が出されている時には、それらの終了を待つ。終了を待つ間は、ステップＳ５０１によって回転動作を検出するようにフローチャートをループさせながら待っても良い。
【００３８】
ステップＳ５０４でサスペンドに移行させる時、スキャナ部３０７のＬＥＤが点灯モード２で点灯する。たとえば、点灯モード２は０．１秒点灯し、１秒消灯を繰り返し点滅する（ステップＳ５０５）。なお、サスペンドに入るのが速ければ、たとえば１ｍｓ以内で移行が完了する（ステップＳ５０９）と、スキャナ部３０７のＬＥＤが点灯モード１で点灯するようにしても良い。サスペンドに入るのが１ｍｓを超える場合、電池蓋３１０を取外せないように、制御部３０５が制御信号をロック部３０６に伝送する。制御信号を受けたロック部３０６は電池蓋３１０をロックする（ステップＳ５０３）。図１０はロック部を示す概略図である。具体的には、ステップＳ５０２でサスペンド状態でないと制御部３０５が判断したときに、サスペンドへの移行指示が出されるステップＳ５０４とほぼ並行して、ステップＳ５０３にて制御部３０５からの制御信号でロック部３０６が駆動される。制御信号によってロック部３０６の電源が入り、ロック部３０６が有する電磁石３１１を動作させる。その結果、電池蓋３１０にある磁性体部（強磁性体の一例として、鉄）３１２を電磁石３１１に吸引させてロックする。このロック部３０６は一例であり、制御部３０５によって駆動可能なロック構造であればその方式は問わない。
【００３９】
サスペンドへの移行を完了したことを判定部３０４が判定し（ステップＳ５０６）、制御部３０５に移行完了信号を伝送する。次に制御部３０５がロック部３０６にロック解除信号を伝送する。ロック解除信号を受信したことに基づいて、ロック部３０６は電池蓋３１０のロックを解除する（ステップＳ５０７）。
【００４０】
このとき、ユーザに電子機器の状態を簡単に示すために、制御部３０５がスキャナ部３０７に点灯制御信号を伝送し、スキャナ部３０７のＬＥＤが点灯モード１で点灯する（ステップＳ５０８）。
【００４１】
このように、携帯端末が表面から裏面や側面に回転された際に、本体がサスペンド状態であるかどうかに基づいて電池蓋３１０のロック動作を行うことによって、サスペンド状態に入っていない機器の電池が急に取り外されることによる、装置の故障やデータが破損することを防ぐことができる。
【００４２】
（第四実施例）
図１１は本発明の第四の実施例を示す概略図である。基本的な構成と処理フローは第三実施例と同様であるため、主に異なる部分のみ説明する。電子機器の表面には表示部３０２と入力部３０８及び照度センサーを備える。裏面には電池を収納する収納部とＬＥＤを含む警報部４０４を備える。電池を交換する際に、表面から裏面に回転し、電池蓋３１０を見える状態で電池の交換動作をする。
【００４３】
第四の実施例に係る携帯端末は、図１２のブロック図に示すように構成されている。本体３０１が、表面側から側面や裏面に向けて回転されると、この回転動作が起こる際に、ユーザの手などによって照度センサー４０３が遮蔽されることを検出することで、間接的に回転動作を検出する。照度センサー４０３での検出信号を制御部３０５に伝送する。
【００４４】
照度センサー４０３は、電子機器の本体３０１を裏返した時にユーザが把持するであろう部分に設けられている。照度センサー４０３の配置の例としては、電池蓋３１０の真反対側（＝入力部３０８の中央）や、本体を裏返したときに表示部３０２側を把持して電池蓋３１０を外すことが想定されることから、表示部３０２の上部もしくは表示部３０２と入力部３０８との間に設けられる。図１１では、表示部３０２の上部に設けられた例を示している。
【００４５】
この時、本体の上部に配置される近接センサーの代わりに、照度センサー４０３を利用することもできる。例えば、照度センサーの４０３の照度が急激に低下した時に物体が接近したと判定しても良い。照度センサー４０３は、普段の使用においては基本的にはある程度明るい環境で使われることから、照度センサー４０３の検出出力はＨｉレベルとなっている。そこから、本体を裏返す過程において、照度センサー４０３をユーザが隠すことで照度が低下して照度センサーの出力がＬｏｗレベルとなり、本体を裏返したことを検出できる。予め設定された所定の時間が経過する前に再度照度が戻った場合には、たまたま照度センサー４０３が隠されていただけだと判断してサスペンドを行わない。近接センサーの代わりに照度センサー４０３を利用するのと同様に、照度センサー４０３の代わりに近接センサーを用いても良い。
【００４６】
制御部３０５が判定部３０４に電子機器の状態判定信号を伝送する。判定部３０４がこれを受けて電子機器の状態を判定する。状態判定情報を制御部３０５に伝送する。電子機器がサスペンドの場合、警報部４０４のＬＥＤが点灯モード３で点灯する。たとえば、点灯モード３は赤色ＬＥＤを点灯し、後で消灯する制御などである。
【００４７】
電子機器がサスペンド状態ではない場合、制御部３０５が電子機器をサスペンド状態に移行させる。サスペンド状態に移行させる時、スキャナ部３０７のＬＥＤが点灯モード４で点灯するように制御することが好ましい。たとえば、点灯モード４は青色ＬＥＤを点灯し、後で消灯する制御であって良い。
【００４８】
サスペンドに入るのが速い場合（たとえば１ｍｓ内に移行完了する場合）、スキャナ部３０７のＬＥＤが点灯モード３で点灯する。サスペンドに入るのが１ｍｓを超える場合、サスペンドに入るまでの間にユーザが電池蓋３１０を取り外せないように、制御部３０５が制御信号をロック部３０６に伝送して、ロック部３０６が電池蓋３１０をロックする。
【００４９】
電子機器がサスペンド移行を完了したことを判定部３０４が判定すると、判定部３０４が制御部３０５に移行完了信号を伝送する。制御部３０５は、移行完了信号を受信したことに基づいて、ロック部３０６にロック解除信号を伝送する。ロック解除信号を受け付けたロック部３０６は電池蓋３１０のロックを解除する。
【００５０】
次に、制御部３０５が警報部４０４に電池蓋３１０の取外し可能信号を伝送する。取外し可能信号を受け付けた警報部４０４は、青色ＬＥＤを点灯させる。
【００５１】
（付記１）
電池装着ポートを背面又は側面に備えた電子機器において、
前記電池装着ポートに搭載される電池の交換時に、電子機器の回転を検出する回転検出手段と、
前記回転検出手段により前記電子機器が回転されたことを検出したときに、前記電子機器の状態を判定する判定手段と、
前記判定手段により、前記電子機器の状態が電池取外し不可状態であると判定したときに、前記電子機器の動作を中止させ、サスペンド状態へ移行させるように制御する制御手段と、
を備えることを特徴とする電子機器。
【００５２】
（付記２）
前記判定手段により、前記電子機器の状態が電池取外し不可状態であると判定したときに、前記電池装着ポートの電池蓋を解除不可状態にするロック解除防止手段と、
を備えることを特徴とする付記１に記載の電子機器。
【００５３】
（付記３）  
前記判定手段により、前記電子機器の状態が電池取外し不可状態であると判定したときに、電池取り外し不可状態であることを表示する警報表示手段と、
を備えることを特徴とする付記１または２に記載の電子機器。
【００５４】
（付記４）
前記判定手段により、前記電子機器が電池取り外し可能状態であると、電池取外し可能状態であることを表示する表示手段と、
を備えることを特徴とする付記１記載の電子機器。
【符号の説明】
【００５５】
１０１  携帯端末
１０２  バッテリ
１０３  充電ポート
１０４  発光部
１０５  導光部
１０６  制御スイッチ
１０７  制御部
１０８  残量検出部
１０９  照度検出部
１１０  表示部
２０１  携帯端末
２０２  バッテリ
２０３  充電ポート
２０４  第１発光部
２０５  第１導光部
２０６  制御スイッチ
２０７  制御部
２０８  残量検出部
２０９  照度検出部
２１０  表示部
２１１  第２発光部
２１２  第２導光部
３０１  本体
３０２  表示部
３０３  回転検出部
３０４  判定部
３０５  制御部
３０６  ロック部
３０７  スキャナ部
３０８  入力部
３１０  電池蓋
４０３  照度センサー
【図１】
2019165310.tif 000003
【図２】
2019165310.tif 000004
【図３】
2019165310.tif 000005
【図４】
2019165310.tif 000006
【図５】
2019165310.tif 000007
【図６】
2019165310.tif 000008
【図７】
2019165310.tif 000009
【図８】
2019165310.tif 000010
【図９】
2019165310.tif 000011
【図１０】
2019165310.tif 000012
【図１１】
2019165310.tif 000013
【図１２】
2019165310.tif 000014